(57)【要約】【課題】所定の通信規格よりも、少ない数のＥＯＬ信号が画像信号に付加された場合であっても、受信側で任意の比較基準値を設定できるようにすると共に、所定の通信規格に準拠しないファクシミリ装置等からの画像信号も受信できるようにする。【解決手段】ＥＯＬ信号の数を検出して計数値を出力するＥＯＬ受信カウンタ５１と、このカウンタ５１から出力される計数値と予め設定された比較基準値とを比較して画像信号が終端か否かを判断する判断手段５２と、この判断手段５２に対して任意の比較基準値を設定する設定手段５３とを備え、判断手段５２は、ＥＯＬ信号の数を示す計数値が任意に設定された比較基準値以上のときは、ＲＴＣを判断するものである。この構成によって、所定の通信規格に準拠したファクシミリ装置１００においても、その通信規格に準拠しないファクシミリ装置等からの画像信号も受信できるようになる。【選択図】　　　　図１
2004104517.tif 000002
【特許請求の範囲】
【請求項１】
所定の通信数のライン終端符号信号が終端に連続して付加される画像信号を通信する装置であって、
前記ライン終端符号信号の受信数を検出して計数値を出力する検出手段と、
前記検出手段から出力される計数値と予め設定された比較基準値とを比較して前記画像信号が終端か否かを判断する判断手段と、
前記判断手段に対して任意の比較基準値を設定する設定手段とを備え、
前記判断手段は、
前記ライン終端符号信号の受信数を示す計数値が任意に設定された比較基準値以上のときは、制御復帰符号を判断することを特徴とする画像通信装置。
【請求項２】
前記比較基準値を記録するための不揮発性の記憶手段を有したソフトウエアスイッチと、
前記ソフトウエアスイッチを手動で変更するための入力手段とが備えられることを特徴とする請求項１に記載の画像通信装置。
【請求項３】
前記比較基準値を記録する不揮発性の記憶手段を有したソフトウエアスイッチと、
前記ソフトウエアスイッチを自動で変更するための制御装置とを備え、
前記制御装置は、
前記ライン終端符号信号の受信数を検出して計数値を求めると共に、当該計数値を比較基準値として前記記憶手段に書き込み、
前記記憶手段から読み出した比較基準値を前記判断手段に設定するように前記ソフトウエアスイッチを変更することを特徴とする請求項１に記載の画像通信装置。
【請求項４】
所定の通信数のライン終端符号信号が終端に連続して付加される画像信号を通信する方法であって、
前記ライン終端符号信号の数を判定するための任意の比較基準値を予め設定し、
前記画像信号の受信時には、
前記ライン終端符号信号の受信数を検出して計数値を求め、
求められた前記計数値と予め設定された比較基準値とを比較し、
比較結果により前記ライン終端符号信号の受信数を示す計数値が任意に設定された比較基準値以上のときは、前記画像信号が終端である旨の制御復帰符号を判断することを特徴とする画像通信方法。
【請求項５】
前記比較基準値を設定するに際して、
予め前記比較基準値を読み出すためのソフトウエアスイッチを準備し、
前記ソフトウエアスイッチを手動で変更することを特徴とする請求項４に記載の画像通信方法。
【請求項６】
前記比較基準値を設定するに際して、
予め前記比較基準値を読み出すためのソフトウエアスイッチを準備し、
前記画像信号の受信時には、
前記ライン終端符号信号の受信数を検出して計数値を求めると共に、当該計数値を比較基準値とするように前記ソフトウエアスイッチを変更することを特徴とする請求項４に記載の画像通信方法。
【発明の詳細な説明】
【０００１】
【発明の属する技術分野】
この発明はＩＴＵ−Ｔ勧告Ｔ．４で規定されている画像受信時のＲＴＣ（制御復帰符号信号）の判定機能を備えたファクシミリ装置に適用して好適な画像通信装置及び画像通信方法に関するものである。
【０００２】
【従来の技術】
近年、ＩＴＵ−Ｔ勧告Ｔ．４に準拠したファクシミリ装置が使用される場合が多くなってきた。この勧告には、ファクシミリ（ＦＡＸ）の画像受信時のＲＴＣ（制御復帰符号）信号は「１電文の送信終了は６連続ＥＯＬ（ライン終端符号）信号の送出により、示される」と記述されている。
【０００３】
この種のＥＯＬ信号を受信してＲＴＣを判断するファクシミリ装置に関しては、特許文献１に「送信終了信号修復装置」が開示されている。このファクシミリ装置によれば、ＥＯＬ信号の受信数を検出し、その受信数が規定数に達しない場合に修復してＲＴＣを判断するようになされる。また、特許文献２には「ＭＨ符号の復号方法」が開示されている。このファクシミリ装置によれば、ＭＨ符号をランレングスに復号化する場合に、ＥＯＬ信号を認識した後にそのＥＯＬ信号がＲＴＣの一部であるか否かを識別するようになされる。更に、特許文献３には「ファクシミリ画像データ処理方法」が開示されている。このファクシミリ装置によれば、画像データの終端でＥＯＬ信号を検出すると、その終端を示すＲＴＣ信号を出力するようになされる。
【０００４】
図７Ａ及びＢは従来例に係るＥＯＬ信号の検出及びＲＴＣ信号の判断例を示す梯子図である。図７Ａにおいて、ファクシミリ受信時には相手方のファクシミリ装置（送信機Ｘ）等から当該ファクシミリ装置（受信機Ｙ）へ画像信号やＥＯＬ信号が送信されてくる。受信機Ｙがこの勧告に準拠したファクシミリ装置であって、送信機Ｘもこの勧告に準拠したファクシミリ装置である場合は、図７Ａに示すように受信機ＹでＥＯＬ信号の受信数をカウントして、規定数（６個連続）に達したらＲＴＣ信号を発生しラインの終端と判断することができる。
【０００５】
また、受信機Ｙがこの勧告に準拠したファクシミリ装置であっても、送信機Ｘ’がこの勧告に準拠しないファクシミリ装置の場合においては、図７Ｂに示すように受信機ＹでＥＯＬ信号の受信数をカウントした際に、連続６個のＥＯＬ信号が検出されないで、例えば、ＥＯＬ信号が連続して４個しか検出されなかった場合が想定される。この場合は、ＥＯＬ信号の通信数が規定数（以下で比較基準値ともいう）に達しないのでＲＴＣを判断することができず、ラインの終端を認知することができない。
【０００６】
【特許文献１】
特開平２−２３７３３１号公報
【特許文献２】
特開平９−１６８０９３号公報
【特許文献３】
特開平９−１６３１４８号公報
【０００７】
【発明が解決しようとする課題】
ところで、従来方式のファクシミリ装置の一部には、制御復帰符号を判断するためのＥＯＬ信号を６個連続して送信することなく、受信機側に６連続未満のＥＯＬ信号を送信するようなファクシミリ装置が流通されている。このため、以下のような問題がある。
【０００８】
▲１▼　このようなファクシミリ装置から送信されてきた画像信号をＩＴＵ−Ｔ勧告Ｔ．４に準拠したファクシミリ装置で受信した場合、図７Ｂに示したようにＥＯＬ信号を６連続して検出することができないために、画像信号の終端が検出されずに、当該勧告に準拠したファクシミリ装置とは判断されず、通信エラーとなり、正常な通信ができなくなる。
【０００９】
▲２▼　この通信エラーを回避するためには、当該ファクシミリ装置に、勧告に準拠しないファクシミリ装置からのＦＡＸ受信用に特殊ＲＯＭを作成したり、そのＲＯＭを適宜交換して対処しなければならなくなる。
【００１０】
そこで、この発明は上述した課題を解決したものであって、所定の通信規格よりも、少ない通信数のライン終端符号信号が画像信号に付加された場合であっても、受信側で任意の比較基準値を設定できるようにすると共に、所定の通信規格に準拠しないファクシミリ装置等からの画像信号も受信できるようにした画像通信装置及び画像通信方法を提供することを目的とする。
【００１１】
【課題を解決するための手段】
上記課題を解決するために、本発明に係る画像通信装置は、所定の通信数のライン終端符号信号が終端に連続して付加される画像信号を通信する装置であって、ライン終端符号信号の受信数を検出して計数値を出力する検出手段と、この検出手段から出力される計数値と予め設定された比較基準値とを比較して画像信号が終端か否かを判断する判断手段と、この判断手段に対して任意の比較基準値を設定する設定手段とを備え、判断手段は、ライン終端符号信号の受信数を示す計数値が任意に設定された比較基準値以上のときは、制御復帰符号を判断することを特徴とするものである。
【００１２】
本発明に係る画像通信装置によれば、所定の通信数のライン終端符号信号が終端に連続して付加される画像信号を通信する場合に、予め任意の比較基準値が判断手段に対して設定手段により設定される。これを前提にして、検出手段ではライン終端符号信号の受信数を検出して計数値を判断手段に出力するようになされる。判断手段では検出手段から出力される計数値と、予め設定された比較基準値とが比較され、画像信号が終端か否かを判断するようになされる。判断手段では、ライン終端符号信号の受信数を示す計数値が任意に設定された比較基準値以上のときは、制御復帰符号信号を出力するようになされる。
【００１３】
従って、所定の通信規格よりも、少ない通信数のライン終端符号信号が画像信号に付加された場合であっても、受信側で設定手段によって任意の比較基準値を判断手段に設定できるので、通信エラーを生じることなく、相手方からの画像信号を正常に受信することができる。これにより、所定の通信規格に準拠した画像通信装置においても、その通信規格に準拠しないファクシミリ装置等からの画像信号も受信できるようになる。
【００１４】
本発明に係る画像通信方法は、所定の通信数のライン終端符号信号が終端に連続して付加される画像信号を通信する方法であって、予め任意の比較基準値を設定し、画像信号の受信時には、ライン終端符号信号の受信数を検出して計数値を求め、ここで求められた計数値と予め設定された比較基準値とを比較し、この比較結果によりライン終端符号信号の受信数を示す計数値が任意に設定された比較基準値以上のときは、画像信号が終端である旨の制御復帰符号を判断することを特徴とするものである。
【００１５】
本発明に係る画像通信方法によれば、所定の通信数のライン終端符号信号が終端に連続して付加される画像信号を通信する場合に、所定の通信規格よりも、少ない数のライン終端符号信号が画像信号に付加された場合であっても、受信側で任意の比較基準値を設定できるので、通信エラーを生じることなく、相手方からの画像信号を正常に受信することができる。
【００１６】
【発明の実施の形態】
以下、図面を参照しながら、この発明の実施形態に係る画像通信装置及び画像通信方法について説明をする。
【００１７】
（１）実施形態
図１は、本発明の実施形態としての画像通信装置を応用したファクシミリ装置１００の構成例を示すブロック図である。
この実施形態では、所定の通信数のライン終端符号信号が終端に連続して付加される画像信号を通信する場合に、任意の比較基準値を判断手段に設定する設定手段を備え、ライン終端符号信号の受信数を示す計数値が任意に設定された比較基準値以上のときは、制御復帰符号信号を出力するようにして、所定の通信規格よりも、少ない通信数のライン終端符号信号が画像信号に付加された場合であっても、受信側で任意の比較基準値を設定できるようにすると共に、所定の通信規格に準拠しないファクシミリ装置等からの画像信号も受信できるようにしたものである。
【００１８】
図１に示すファクシミリ装置１００は画像通信装置の一例であり、所定の通信数のライン終端符号信号が終端に連続して付加される画像信号を通信する装置である。このファクシミリ装置１００はＩＴＵ−Ｔ勧告Ｔ．４に準拠しており、この勧告によれば、ファクシミリ（ＦＡＸ）の画像受信時の制御復帰符号（以下ＲＴＣという）信号は６連続ライン終端符号（ＥＯＬ）信号の送出により１電文の送信終了を示すと規定されるが、当該装置１００ではＥＯＬ信号が何個連続して受信されたかを判断するための比較基準値を任意に設定するようになされる。
【００１９】
このファクシミリ装置１００はシステムバス５９を有している。システムバス５９には通信手段１１、画像読取装置１２、画像メモリ１３、復号化手段１４、制御装置１５、符号化手段１６及び画像形成手段１７が接続される。通信手段１１は既存の電話公衆回線やインターネット等の通信回線に接続され、相手方からのファクシミリ受信画像信号（単に画像信号ともいう）を受信したり、相手方へファクシミリ送信画像信号（単に画像信号ともいう）を送信するようになされる。この通信手段１１にはネットワークコントロールユニット（網制御装置）が設けられ、公衆電話回線との間で、当該ファクシミリ装置１００からの発呼、不特定多数の相手方からの着呼、復旧、切断処理などの接続制御が行われる。例えば、このユニットによってリング検出が行われ、相手方が発呼した送信要求が受信される。
【００２０】
また、通信手段１１には図示しない通信モデムが設けられ、受信時には、公衆電話回線によって伝送されてきた画像信号を復調してデジタルの受信画像データＤＩＮに変換したり、送信時には、公衆網の周波数帯に整合するように原稿画像データＤ１を変調して画像信号に変換するようになされる。通信手段１１で受信した受信画像データＤＩＮは、画像メモリ１３に記憶される。
【００２１】
このシステムバス５９には画像読取装置１２が接続され、複写機能やファクシミリ機能を選択し、これらの動作条件を設定すると、その動作条件に基づいて原稿の画像が読み取られ、原稿画像データＤ１が発生される。画像読取装置１２には自動原稿読み取り装置（スキャナ）などが使用される。
【００２２】
この通信手段１１にはシステムバス５９を通じて復号化手段１５が接続され、受信時に、受信画像データＤＩＮが復号化されて伸張される。この画像読取装置１２にはシステムバス５９を通じて制御装置１５の読み出し書き込み制御を受ける画像メモリ１３が接続され、画像読取装置１２によって読み取られた原稿画像データＤ１が一時記録される。もちろん、ファクシミリ受信された受信画像データＤＩＮも記憶される。
【００２３】
画像メモリ１３に入力された受信画像データＤＩＮは例えば、ページ単位で管理され、ファイル名称Ｎｏ、機能種別＃、開始時刻、終了時刻、送信相手先、親展ＩＤ、処理種別、進行状態等の項目が各ファイル毎に記録される。画像メモリ１３にはハードディスク（ＨＤＤ）や記憶保持動作が必要なＤＲＡＭなどが使用される。システムバス５９には復号化手段１５の他に符号化手段１６が接続され、送信時に、送信画像データＤＯＵＴを圧縮して符号化するようになされる。
【００２４】
上述した通信手段１１には制御装置１５が接続される。制御装置１５はＥＯＬ受信カウンタ５１、判断手段５２、設定手段５３、ＣＰＵ（中央演算装置）５５、Ｉ／Ｏインタフェース５６、ＲＯＭ５７、ＲＡＭ５８を有している。上述した通信手段１１には検出手段の一例となるＥＯＬ受信カウンタ５１が接続されており、ＥＯＬ信号の受信数を検出して計数値を出力するようになされる。
【００２５】
このＥＯＬ受信カウンタ５１には判断手段５２が接続され、このカウンタ５１から出力される計数値と予め設定された比較基準値とを比較して画像信号が１電文の送信終端か否かを判断するようになされる。この判断手段５２ではＥＯＬ信号の受信数を示す計数値が任意に設定された比較基準値以上のときは、ＲＴＣと判断され、判断結果信号Ｓ１をＣＰＵ５５へ出力するようになされる。判断手段５２には比較回路が使用される。これと共に、ＲＴＣと判断されるＥＯＬ信号を連続して検出した場合に、正しい画像信号を既に数ライン受信しているかを判断し、もし受信していない場合は、引き続き画像信号の受信を続けるようになされる。
【００２６】
この判断手段５２には設定手段５３が接続されており、当該判断手段５２に対して任意の比較基準値を設定するようになされる。設定手段５３は例えば、不揮発性の記憶手段の一例となるＥＥＰＲＯＭ５４を有している。このＥＥＰＲＯＭ５４はソフトウエアスイッチＳＷを構成するものである。ＥＥＰＲＯＭ５４はＣＰＵ５５からのアドレス信号Ｓ２に基づいてソフトウエアスイッチＳＷへの比較基準値の書込みやその値の読み出しが制御される。ＥＥＰＲＯＭ５４には１バイトのメモリ領域が割り当てられ、任意の比較基準値として、例えば、「１」〜「６」のいずれかの値が格納可能になされている。ＥＯＬ信号が何個連続して受信されたかを判断する際にこれらの比較基準値のいずれか１つを使用するためである。
【００２７】
ＲＯＭ５７にはファクシミリ装置全体を制御するためのシステムプログラムが格納されている。例えば、ＲＯＭ５７には所定の通信制御手順が格納され、ファクシミリ機能を選択してこの動作条件を設定すると、ＣＰＵ５５はその動作条件に基づき、ＲＯＭ５７による通信制御手順に従ってデータ通信を行うようになされる。
【００２８】
ＲＡＭ５８はワークメモリとして使用される。例えば、判断手段５２からＣＰＵ５５へ送られてきた判断結果信号Ｓ１等を保持するようになされる。ＣＰＵ５５で１電文の送信終端を認知するためである。このＣＰＵ５５にはＩ／Ｏインタフェース５６が接続される。
【００２９】
Ｉ／Ｏインタフェース５６には操作（オペレーティング）パネル１８及び表示装置１９が接続される。操作パネル１８は入力手段の一例であり、当該装置１００の初期設定時にソフトウエアスイッチＳＷを手動で変更するように操作される。操作パネル１８はファクシミリ機能の動作条件を設定するときも使用され、ソフトウエアスイッチＳＷの変更等する際には操作情報Ｄ２がＣＰＵ５５へ出力される。
【００３０】
このファクシミリ装置１００ではソフトウエアＳＷの「１」〜「６」の値を変更する手段として２つの方法が準備されている。第１の方法はマニュアル設定モードであり、第２の方法は自動設定モードである。このソフトウエアスイッチＳＷの読み出し例については図２及び図５で説明をする。この操作パネル１８には表示装置１９が設けられ、表示情報Ｄ３に基づいて相手先の電話番号や、ファクシミリ動作条件等を表示するようになされる。
【００３１】
上述のしたシステムバス５９には画像形成手段１７が接続され、ファクシミリ機能を選択してこれらの動作条件を設定すると、その動作条件に基づいて画像メモリ１３から原稿画像データＤ１又は受信画像データＤＩＮを読み出し、これらのデータＤ１又はＤＩＮに基づいて、所定の記録用紙に画像を形成するようになされる。画像形成手段１７は図示しない用紙カセット、現像器、感光体、定着器、カートリッジなどを有している。
【００３２】
（２）第１の実施例
図２Ａ及びＢは第１の実施例に係るソフトウエアスイッチＳＷの値の読み出し例（マニュアルモード）を示す回路図である。この例で設定手段５３のＥＥＰＲＯＭ５４にはソフトウエアスイッチＳＷの値として「１」〜「６」の６個の比較基準値が書き込み可能になされている。ＥＯＬ信号が何個連続して受信されたかを判断するためである。この設定手段５３では、ＩＴＵ−Ｔ勧告Ｔ．４を遵守するために、図２Ａに示すソフトウエアスイッチＳＷの値として「６」が記述されており、初期状態で比較基準値「６」を判断手段５２へ出力するようになされている。
【００３３】
第１の方法によれば、操作パネル１８を使用して、例えば、図２Ｂに示すソフトウエアスイッチＳＷの値として操作情報Ｄ２＝「５」をＣＰＵ５５へ入力すると、ＣＰＵ５５は既存の比較基準値「６」に関して比較基準値「５」を上書きするようにソフトウエアスイッチＳＷの値を変更するようになされる。この上書きの結果、ＥＥＰＲＯＭ５４から判断手段５２には以後、比較基準値「５」が設定されるようになる。
【００３４】
続いて、ファクシミリ装置１００における画像通信方法について説明をする。図３は図１からＥＯＬ信号の検出及びＲＴＣの判断時の構成例を抜粋したブロック図である。以下で説明するフローチャートを補足する図である。図４は本発明に係る第１の実施例としてのファクシミリ装置１００における処理例を示すフローチャートである。
【００３５】
この例ではＥＯＬ信号が何個連続して受信されると、ＲＴＣ（制御復帰符号）と判断するかのソフトウエアスイッチＳＷが備えられる。例えば、所定の通信数「６」に対して規格外の通信数「４」のＥＯＬ信号が終端に連続して付加される画像信号を受信する場合を想定する。また、マニュアル設定モードが適用されて、予め設定手段５３から判断手段５２には比較基準値「４」が設定される場合を前提とする。この比較基準値「４」が設定されることで、通信規格の通信数「６」を含む、通信数「５」及び「４」の判定を行なうことができるようになる。
【００３６】
これを処理条件にして、図４に示すフローチャートのステップＡ１で予め比較基準値として「４」を設定する。このとき、操作パネル１８を操作して図２Ｂに示すようにソフトウエアスイッチＳＷの値を「６」から「４」へ変更する。そして、ＣＰＵ５５からＥＥＰＲＯＭ５４へアドレス信号Ｓ２が入力され、ソフトウエアスイッチＳＷの値が上書きされる。これにより、比較基準値「４」が設定手段５３から判断手段５２に設定される。
【００３７】
そして、ステップＡ２ではＦＡＸ受信が待機される。相手方からの発呼を受けて当該ファクシミリ装置１００がＦＡＸ受信した場合は、ステップＡ３に移行する。ステップＡ３ではオフフックして画像信号の入力処理をする。このとき、図３において、相手方のファクシミリ装置（送信機Ｘ）等から当該ファクシミリ装置（受信機Ｙ）１００へ画像信号やＥＯＬ信号が受信される。
【００３８】
通信手段１１では図示しない通信モデムによって、公衆電話回線によって伝送されてきた画像信号が復調されてデジタルの受信画像データＤＩＮに変換される。受信画像データＤＩＮは画像メモリ１３に記憶される。受信画像データＤＩＮは復号化手段１５により復号化されて伸張される。画像メモリ１３には受信画像データＤＩＮがファイル毎に記録される。ファイルはページ単位で管理され、名称Ｎｏ、機能種別＃、受信時刻、終了時刻、受信相手先、親展ＩＤ、処理種別、受信状態等の項目が記録される。
【００３９】
そして、ステップＡ４ではＥＯＬ信号の検出処理がなされる。このとき、図３にＥＯＬ受信カウンタ５１ではＥＯＬ信号の受信数を検出して計数値が求められ、この計数値が判断手段５２に出力される。その後、ステップＡ５ではＥＯＬ受信カウンタ５１から出力される計数値「４」と、予め設定された比較基準値「４」とが判断手段５２によって比較され、この比較結果によりＥＯＬ信号の計数値が比較基準値以上となっているかがチェックされる。画像信号が終端か否かを判断するためである。この例ではＥＯＬ信号の受信数を示す計数値「４」と操作パネル１８により設定された比較基準値「４」とが一致し、ＥＯＬ信号の計数値「４」が比較基準値以上の条件を満足する形態となる。
【００４０】
従って、判断手段５２ではステップＡ６に移行してＲＴＣ（制御復帰符号）を判断して、この判断結果信号Ｓ１をＣＰＵ５５に出力するようになされる。なお、計数値が比較基準値「４」未満の場合はステップＡ７に移行して受信エラー処理がなされる。この例では所定の通信数「６」に対して規格外の通信数「４」よりも更に少ない通信数、例えば、「３」、「２」、「１」のＥＯＬ信号を検出した場合に受信エラーとなる。
【００４１】
そして、ステップＡ８に移行してオンフックして通信回線を「断」し、ステップＡ９に移行して当該ファクシミリ受信処理を終了するかがチェックされる。ファクシミリ受信処理を継続する場合はステップＡ２に戻ってＦＡＸ受信が待機される。
【００４２】
このように、本発明に係る第１の実施例としてのファクシミリ装置及び画像通信方法によれば、所定の通信数のＥＯＬ信号が終端に連続して付加される画像信号を受信する場合に、所定の通信規格よりも、少ない通信数「４」のＥＯＬ信号が画像信号に付加された場合であっても、受信側で設定手段５３によって任意の比較基準値を判断手段５２に設定することができる。
【００４３】
従って、所定の通信規格の通信数「６」を固定設定しているファクシミリ装置に比べて通信エラーを生じることなく、相手方からの画像信号を正常に受信することができる。比較基準値「４」の設定によって、通信規格の通信数「６」を含む、通信数「５」及び「４」の判定を行なうことができる。これにより、所定の通信規格に準拠したファクシミリ装置１００においても、その通信規格に準拠しないファクシミリ装置等からの画像信号も受信できるようになる。
【００４４】
（３）第２の実施例
図５Ａ及びＢは本発明に係る第２の実施例としてのソフトウエアスイッチＳＷの値の読み出し例（自動設定モード）を示す回路図である。なお、同じ名称及び同じ符号のものは同じ機能を有するため、その説明を省略する。
【００４５】
第２の方法は自動設定モードであり、このモードではＣＰＵ５５がソフトウエアスイッチＳＷの値を自動で変更するようになされる。図５Ａに示すＥＥＰＲＯＭ５４にはデフォルト値として通信規格である比較基準値「６」がソフトウエアスイッチＳＷの値として記述され、この比較基準値「６」が判断手段５２へ読み出し可能になされている。
【００４６】
このソフトウエアスイッチＳＷの値はＣＰＵ５５によって適宜書換え可能となされている。当該ファクシミリ装置１００に接続された相手方のファクシミリ装置１００等に合わせ込むために、その装置の通信数に合った比較基準値を後に自動書込みするためである。
【００４７】
このモードでは例えば、ＥＯＬ受信カウンタ５１がＥＯＬ信号の受信数を検出して計数値を求めると共に、ＣＰＵ５５が当該計数値を比較基準値としてＥＥＰＲＯＭ５４に書き込み、受信時にこのＥＥＰＲＯＭ５４から読み出した比較基準値を判断手段５２に設定するようにソフトウエアスイッチＳＷの値を、例えば、「６」から「４」へ変更するようになされる（自動設定モード）。この例では、このようなＣＰＵ５５の学習機能によって自動設定モードを実行するようになされる。
【００４８】
もちろん、これに限られることはなく、ＥＥＰＲＯＭ５４に比較基準値「６」、「５」、「４」、「３」、「２」、「１」等が記述されている場合であって、ＥＯＬ受信カウンタ５１において、ＥＯＬ信号の受信数を計数すると共に、ＣＰＵ５５において、所定の通信規格よりも、少ない通信数のＥＯＬ信号を検出した受信エラーの回数を監視する。そして、この受信エラー回数と所定の監視回数とをＣＰＵ５５により比較し、受信エラー回数が所定の監視回数を越えた場合に、受信エラー時のＥＯＬ信号の受信数を任意の比較基準値として判断手段５２に設定するようにソフトウエアスイッチＳＷの値を変更するようにしてもよい。このようにしても、比較基準値「６」を「４」に変更することができる。
【００４９】
続いて、ファクシミリ装置１００における他の画像通信方法について説明をする。図６は本発明に係る第２の実施例としてのファクシミリ装置１００における処理例を示すフローチャートである。
【００５０】
この例ではＥＯＬ信号が何個連続して受信されると、ＲＴＣ（制御復帰符号）を判断するかのソフトウエアスイッチＳＷが備えられる。図５Ａに示したように、ＥＥＰＲＯＭ５４にはデフォルト値として通信規格である比較基準値「６」が記述され、ソフトウエアスイッチＳＷの値として、比較基準値「６」が読み出し可能になされている。
【００５１】
この例でも、所定の通信数「６」に対して規格外の通信数「４」のＥＯＬ信号が終端に連続して付加される画像信号を受信する場合を想定する。この例では、自動設定モードが適用されて、ＥＯＬ受信カウンタ５１がＥＯＬ信号の受信数を検出して計数値を求めると共に、ＣＰＵ５５が当該計数値「４」を比較基準値としてＥＥＰＲＯＭ５４に書き込み、このＥＥＰＲＯＭ５４から読み出した比較基準値「４」を判断手段５２に設定するようにソフトウエアスイッチＳＷの値を変更する場合を想定する。
【００５２】
これを処理条件にして、図６に示すフローチャートのステップＢ１でＦＡＸ受信が待機される。相手方からの発呼を受けて当該ファクシミリ装置１００がＦＡＸ受信した場合は、ステップＢ２に移行する。ステップＢ２ではオンフックして画像信号の入力処理をする。このとき、ＥＯＬ受信カウンタ５１をゼロにクリアする。図３に示したように、相手方のファクシミリ装置（送信機）等から当該ファクシミリ装置（受信機）１００へ画像信号やＥＯＬ信号が受信される。
【００５３】
そして、ステップＢ３ではＥＯＬ信号のみを連続して受信したかがＣＰＵ５５によって判別される。このＥＯＬ信号のみを連続して受信した場合は、ステップＢ４に移行してＥＯＬ受信カウンタ５１を＋１ずつ計数（インクリメント）する。そして、ステップＢ５に移行してＥＯＬ受信カウンタ５１の計数値、この例では「４」と、ソフトウエアスイッチＳＷ１による比較基準値「６」とが比較される。
【００５４】
この例では計数値「４」と比較基準値「６」とが一致せず、ＥＯＬ信号の計数値が比較基準値以上となっているかの条件を満足しないので、ステップＢ８に移行して受信画像データＤＩＮがキャリアオフ（ＯＦＦ）したかをＣＰＵ５５によって検出される。受信画像データＤＩＮがキャリアオフしている場合は、ステップＢ９に移行する。
【００５５】
ステップＢ９ではＣＰＵ５５からＥＥＰＲＯＭ５４へアドレス信号Ｓ２が入力され、ＥＯＬ受信カウンタ５１の計数値「４」が、比較基準値としてＥＥＰＲＯＭ５４の比較基準値「６」に上書きされる。この比較基準値が上書きによって、ソフトウエアスイッチＳＷの値が変更されるので、次回からの比較基準値として「４」を読み出すことができるようになる。この比較基準値「４」の設定によって、通信規格の通信数「６」を含む、通信数「５」及び「４」の判定を行なうことができるようになる。そして、ステップＢ１０に移行してその他の処理がなされる。
【００５６】
ここで処理にはオンフックして通信回線を「断」する処理や、画像形成手段１７によって、受信画像データＤＩＮに基く所定の記録用紙に画像を形成する処理が含まれる。その後、ステップＢ１１に移行して、当該ファクシミリ受信処理を終了するかがチェックされる。ファクシミリ受信処理を継続する場合はステップＢ２に戻ってＦＡＸ受信が待機される。
【００５７】
この例では前回に自動設定された比較基準値「４」を使用してＥＯＬ信号の検出処理がなされる。例えば、ステップＢ１で相手方からＦＡＸ受信した場合は、ステップＢ２に移行して画像信号の入力処理をする。このとき、ＥＯＬ受信カウンタ５１をゼロにクリアすると共に、相手方のファクシミリ装置（送信機）等から当該ファクシミリ装置（受信機）１００へ画像信号やＥＯＬ信号が受信される。
【００５８】
そして、ステップＢ３ではＥＯＬ信号のみを連続して受信したかがＣＰＵ５５によって判別される。この例ではＥＯＬ信号のみを連続して４回受信されるので、ステップＢ４に移行してＥＯＬ受信カウンタ５１は「４」を計数する。そして、ステップＢ５に移行してＥＯＬ受信カウンタ５１の計数値「４」と、ソフトウエアスイッチＳＷ２による比較基準値「４」とが一致し、ＥＯＬ信号の計数値が比較基準値以上となっているかの条件を満足するのでステップＢ６に移行してＲＴＣを判断し、この判断結果信号Ｓ１をＣＰＵ５５に出力するようになされる。
【００５９】
その後、ステップＢ１０に移行して上述したような他の処理を実行する。その後、ステップＢ１１に移行して、当該ファクシミリ受信処理を終了するかがチェックされ、ファクシミリ受信処理を継続する場合はステップＢ２に戻ってＦＡＸ受信が待機される。
【００６０】
このように、本発明に係る第２の実施例としてのファクシミリ装置及び画像通信方法によれば、所定の通信数のＥＯＬ信号が終端に連続して付加される画像信号を受信する場合に、所定の通信規格よりも、少ない通信数「４」のＥＯＬ信号が画像信号に付加された場合であっても、自動設定モードが適用されると、ＥＯＬ受信カウンタ５１がＥＯＬ信号の受信数を検出して計数値を求めると共に、ＣＰＵ５５が当該計数値「４」を比較基準値としてＥＥＰＲＯＭ５４に書き込み、このＥＥＰＲＯＭ５４から読み出した比較基準値「４」を判断手段５２に設定するようにソフトウエアスイッチＳＷの値を「６」から「４」へ自動変更するようになされる（自動設定モードにおけるＣＰＵ５５の学習機能）。
【００６１】
従って、第１の実施例と同様にして所定の通信規格の通信数「６」を固定設定しているファクシミリ装置に比べて通信エラーを生じることなく、相手方からの画像信号を正常に受信することができる。これにより、所定の通信規格に準拠したファクシミリ装置１００においても、その通信規格に準拠しないファクシミリ装置等からの画像信号も受信できるようになる。しかも、第１の実施例に比べて比較基準値を判断手段５２に自動設定することができる。
【００６２】
また、従来方式のような特殊ＲＯＭを作成する手間を省くことができた。因みに特殊ＲＯＭを作成してファクシミリ装置１００に装着するには約１月ほど時間を要していたが、通信規格に準拠しないファクシミリ装置等に対してソフトウエアスイッチＳＷの値の変更だけで数分で対処することができ、大幅にトラブルの対応時間を少なくすることができた。
【００６３】
この例では画像通信装置に関してファクシミリ装置１００の場合について説明したが、これに限られることはなく、ファクシミリ機能を有した複写機や、ファクシミリ機能及びプリンタ機能を有した複合機に応用することができる。
【００６４】
【発明の効果】
以上説明したように、本発明に係る画像通信装置によれば、所定の通信数のライン終端符号信号が終端に連続して付加される画像信号を通信する場合に、任意の比較基準値を判断手段に設定する設定手段を備え、この判断手段ではライン終端符号信号の受信数を示す計数値が任意に設定された比較基準値以上のときは、制御復帰符号信号を出力するようになされる。
【００６５】
この構成によって、所定の通信規格よりも、少ない通信数のライン終端符号信号が画像信号に付加された場合であっても、受信側で設定手段によって任意の比較基準値を判断手段に設定できるので、通信エラーを生じることなく、相手方からの画像信号を正常に受信することができる。従って、所定の通信規格に準拠した画像通信装置においても、その通信規格に準拠しないファクシミリ装置等からの画像信号も受信できるようになる。
【００６６】
本発明に係る画像通信方法によれば、所定の通信数のライン終端符号信号が終端に連続して付加される画像信号を通信する場合に、予め任意の比較基準値を設定し、画像信号の受信時には、ライン終端符号信号の受信数を検出して計数値を求め、ここで求められた計数値と予め設定された比較基準値とを比較し、この比較結果により、ライン終端符号信号の受信数を示す計数値が任意に設定された比較基準値以上のときは、画像信号が終端であると判断して制御復帰符号信号を発生するようになされる。
【００６７】
この構成によって、所定の通信規格よりも、少ない通信数のライン終端符号信号が画像信号に付加された場合であっても、受信側で任意の比較基準値を設定できるので、通信エラーを生じることなく、相手方からの画像信号を正常に受信することができる。
【００６８】
この発明は、ＩＴＵ−Ｔ勧告Ｔ．４で規定されている画像受信時のＲＴＣ（制御復帰符号）信号の判定機能を備えたファクシミリ装置に適用して極めて好適である。
【図面の簡単な説明】
【図１】本発明の実施形態としての画像通信装置を応用したファクシミリ装置１００の構成例を示すブロック図である。
【図２】Ａ及びＢは第１の実施例に係るソフトウエアスイッチＳＷの値の読み出し例（マニュアルモード）を示す回路図である。
【図３】図１からＥＯＬ信号の検出及びＲＴＣの判断時の構成例を抜粋した概念図である。
【図４】本発明に係る第１の実施例としてのファクシミリ装置１００における処理例（マニュアル設定モード）を示すフローチャートである。
【図５】Ａ及びＢは本発明に係る第２の実施例としてのソフトウエアスイッチＳＷの値の読み出し例（自動設定モード）を示す回路図である。
【図６】本発明に係る第２の実施例としてのファクシミリ装置１００における処理例（自動設定モード）を示すフローチャートである。
【図７】従来例に係るＥＯＬ信号の検出及びＲＴＣの判断例を示す梯子図である。
【符号の説明】
１１　通信手段
１２　画像読取装置
１３　画像メモリ
１４　復号化手段
１５　制御装置
１６　符号化手段
１７　画像形成手段
１８　操作パネル
１９　表示装置
５１　ＥＯＬ受信カウンタ（検出手段）
５２　判断手段
５３　設定手段
５４　ＥＥＰＲＯＭ（不揮発性の記憶装置）
５５　ＣＰＵ
１００　ファクシミリ装置（画像通信装置）
【図１】
2004104517.tif 000003
【図２】
2004104517.tif 000004
【図３】
2004104517.tif 000005
【図４】
2004104517.tif 000006
【図５】
2004104517.tif 000007
【図６】
2004104517.tif 000008
【図７】
2004104517.tif 000009